(57)【要約】【課題】  画像形成装置にトナー収容容器を装着させて、トナー収容容器に収容されたトナーを適切に補給させると共に、トナー像を転写させた後の像保持部材に残留するトナーを回収してトナー収容容器に十分に収容されるようにする。【解決手段】  画像形成装置に着脱可能に装着されるトナー収容容器30にトナーの出し入れを行うトナー出入口33を設けると共に、トナー収容容器の内部に、回転軸341の外周に搬送羽根342が設けられた搬送部材34と、回転部材351に撹拌羽根352が取り付けられた攪拌部材35とを正・逆回転可能に設け、搬送部材の正転時にトナーがトナー出入口に向けて搬送される一方、搬送部材の逆転時にトナーがトナー出入口から離れる方向に搬送され、攪拌部材の正転時に撹拌羽根が回転される一方、攪拌部材の逆転時に撹拌羽根が揺動されるようにした。【選択図】  図２
2011232685.tif 000002
【特許請求の範囲】
【請求項１】
画像形成装置に着脱可能に装着されるトナー収容容器において、トナー収容容器へのトナーの出し入れを行うトナー出入口が設けられると共に、このトナー収容容器の内部に、回転軸の外周に搬送羽根が設けられた搬送部材と、回転部材に撹拌羽根が取り付けられた攪拌部材とが正・逆回転可能に設けられ、上記の搬送部材の正転時にトナーがトナー出入口に向けて搬送される一方、搬送部材の逆転時にトナーがトナー出入口から離れる方向に搬送され、上記の攪拌部材の正転時に撹拌羽根が回転される一方、攪拌部材の逆転時に撹拌羽根が揺動されることを特徴とするトナー収容容器。
【請求項２】
請求項１に記載のトナー収容容器において、上記の攪拌部材における回転部材に撹拌羽根部が設けられると共に、この回転部材に上記の撹拌羽根に係合される係合部材が設けられ、攪拌部材の正転時に、上記の係合部材に撹拌羽根が係止されて撹拌羽根が回転される一方、攪拌部材の逆転時に、上記の係合部材から撹拌羽根が係脱されて撹拌羽根が揺動されることを特徴とするトナー収容容器。
【請求項３】
請求項１又は請求項２に記載したトナー収容容器が着脱可能に装着される画像形成装置において、上記のトナー収容容器に収容されたトナーを補給させるにあたり、上記の攪拌部材を正転させて、回転する撹拌羽根によりトナー収容容器に収容されたトナーを攪拌させると共に、上記の搬送部材を正転させて、トナーをトナー出入口に向けて搬送させることを特徴とする画像形成装置。
【請求項４】
請求項３に記載の画像形成装置において、上記のトナー収容容器に収容されたトナーの補給を開始する当初に、上記の攪拌部材を逆転させて、撹拌羽根を揺動させることを特徴とする画像形成装置。
【請求項５】
請求項１又は請求項２に記載したトナー収容容器が着脱可能に装着される画像形成装置において、トナー像を転写させた後の像保持部材に残留するトナーを回収し、この回収トナーを上記のトナー収容容器に収容させるにあたり、上記の搬送部材を逆転させて、回収トナーをトナー出入口から離れる方向に搬送させると共に、上記の攪拌部材を逆転させて、撹拌羽根を揺動させることを特徴とする画像形成装置。
【発明の詳細な説明】
【技術分野】
【０００１】
本発明は、複写機，プリンタ，ファクシミリ及びこれらの複合機等の電子写真方式を用いた画像形成装置及びこの画像形成装置に着脱可能に装着されるトナー収容容器に関するものである。特に、画像形成装置にトナー収容容器を装着させて、このトナー収容容器に収容されたトナーを適切に補給させることができると共に、トナー像を転写させた後の像保持部材に残留するトナーを回収して、回収トナーをトナー収容容器に収容させる場合に、回収トナーがこのトナー収容容器に十分に収容されるようにした点に特徴を有するものである。
【背景技術】
【０００２】
複写機，プリンタ，ファクシミリ及びこれらの複合機等の電子写真方式を用いた画像形成装置においては、一般に、静電潜像が形成された像担持体に現像装置からトナーを供給して、像担持体の表面に静電潜像に対応したトナー像を形成するようにしている。そして、このように像担持体に形成されたトナー像を転写装置により記録媒体に転写させ、或いは中間転写ベルト等の転写体に転写させた後、記録媒体に転写させるようにし、トナー像を転写させた後の像担持体や転写体の表面に残留するトナーを、トナー回収装置によって回収するようにしている。
【０００３】
そして、上記のように静電潜像が形成された像担持体に現像装置からトナーを供給した結果、現像装置内におけるトナーの量が減少した場合には、トナーを収容させた補給トナー収容容器を画像形成装置に着脱可能に装着させ、この補給トナー収容容器からトナーを補給させるようにしている。
【０００４】
また、上記のようにトナー像を転写させた後の像担持体や転写体の表面に残留するトナーをトナー回収装置によって回収した後は、この回収トナーを回収トナー収容容器に収容させるようにしている。
【０００５】
そして、従来においては、一般に上記の補給トナー収容容器と回収トナー収容容器とを別の容器で構成していた。
【０００６】
しかし、このように補給トナー収容容器と回収トナー収容容器とを別の容器で構成すると、補給トナー収容容器と回収トナー収容容器とを別々に製造して管理することが必要になり、コストが高くつくと共に、これらの容器の管理も面倒になるという問題があった。
【０００７】
このため、近年においては、トナーを補給して空になった補給トナー収容容器を回収トナー収容容器として利用することが提案されている。
【０００８】
そして、特許文献１においては、上記のようにトナーを補給して空になった補給トナー収容容器を回収トナー収容容器として利用するにあたり、上記のように転写後の像担持体や転写体の表面から回収した回収トナーが、このトナー収容容器に設けられている搬送スクリュウ等の回転体の回転によってトナー収容容器から漏れ出すのを抑制するため、回収トナー収容容器として利用する場合に、上記の搬送スクリュウ等の回転体の回転を停止させるようにしたものが提案されている。
【０００９】
しかし、このように空になった補給トナー収容容器を回収トナー収容容器として利用するにあたり、トナー収容容器に設けられた搬送スクリュウ等の回転体の回転を停止させると、回収トナーをこのトナー収容容器におけるトナー出入口からトナー収容容器内に導いた場合に、回収トナーがトナー出入口の近傍におけるトナー収容容器内に偏った状態で収容されるようになり、トナー収容容器内に回収トナーが十分に収容されていない状態で、回収トナーがトナー出入口から漏れ出すという問題があった。
【先行技術文献】
【特許文献】
【００１０】
【特許文献１】特開２００８−２６１９６８号公報
【発明の開示】
【発明が解決しようとする課題】
【００１１】
本発明は、画像形成装置に着脱可能に装着されるトナー収容容器における上記のような問題を解決することを課題とするものであり、画像形成装置にトナー収容容器を装着させて、トナー収容容器に収容されたトナーを適切に補給させることができると共に、トナー像を転写させた後の像保持部材に残留するトナーを回収して、回収トナーをトナー収容容器に収容させる場合に、回収トナーがこのトナー収容容器に十分に収容されるようにすることを課題とするものである。
【課題を解決するための手段】
【００１２】
本発明のトナー収容容器においては、上記のような課題を解決するため、画像形成装置に着脱可能に装着されるトナー収容容器において、トナー収容容器へのトナーの出し入れを行うトナー出入口を設けると共に、このトナー収容容器の内部に、回転軸の外周に搬送羽根が設けられた搬送部材と、回転部材に撹拌羽根が取り付けられた攪拌部材とを正・逆回転可能に設け、上記の搬送部材の正転時にトナーがトナー出入口に向けて搬送される一方、搬送部材の逆転時にトナーがトナー出入口から離れる方向に搬送され、上記の攪拌部材の正転時に撹拌羽根が回転される一方、攪拌部材の逆転時に撹拌羽根が揺動されるようにした。
【００１３】
ここで、上記の攪拌部材としては、攪拌部材における回転部材に撹拌部が設けられると共に、この回転部材に上記の撹拌羽根に係合される係合部材が設けられ、攪拌部材の正転時に、上記の係合部材に撹拌羽根が係止されて撹拌羽根が回転される一方、攪拌部材の逆転時に、上記の係合部材から撹拌羽根が係脱されて撹拌羽根が揺動されるようにしたものを用いることができる。
【００１４】
また、本発明の画像形成装置において、上記のトナー収容容器を着脱可能に装着させて、このトナー収容容器に収容されたトナーを補給させるにあたっては、上記の攪拌部材を正転させて、回転する撹拌羽根によりトナー収容容器に収容されたトナーを攪拌すると共に、上記の搬送部材を正転させて、トナーをトナー出入口に向けて搬送させるようにする。なお、このようにトナー収容容器に収容されたトナーを補給させるにあたり、トナー収容容器に収容されたトナーの補給を開始する当初には、上記の攪拌部材を逆転させて、撹拌羽根を揺動させるようにすることが好ましい。
【００１５】
また、本発明の画像形成装置において、上記のトナー収容容器を着脱可能に装着させて、トナー像を転写させた後の像保持部材に残留するトナーを回収し、この回収トナーを上記のトナー収容容器に収容させるにあたっては、上記の搬送部材を逆転させて、回収トナーをトナー出入口から離れる方向に搬送させると共に、上記の攪拌部材を逆転させて、撹拌羽根を揺動させるようにする。
【発明の効果】
【００１６】
本発明においては、上記のトナー収容容器を画像形成装置に着脱可能に装着させて、このトナー収容容器に収容されたトナーを補給させるにあたり、トナー収容容器に設けられた攪拌部材を正転させて、回転する撹拌羽根によってトナー収容容器に収容されたトナーを攪拌すると共に、上記の搬送部材を正転させて、トナーをトナー出入口に向けて搬送させるようにしたため、トナー収容容器に収容されたトナーが適切にトナー出入口に搬送され、このトナー出入口を通してトナーが適切に補給されるようになる。
【００１７】
また、このようにトナー収容容器に収容されたトナーを補給させるにあたり、トナーの補給を開始する当初に、上記の攪拌部材を逆転させて撹拌羽根を揺動させるようにすると、このトナー収容容器に収容されたトナーが詰まった状態で固まっていても、詰まって固まった状態にあるトナーが撹拌羽根の揺動によりほぐされるようになり、その後、上記のように攪拌部材を正転させて、撹拌羽根を回転させると、トナー収容容器に収容されたトナーが適切に攪拌され、上記のように搬送部材によりトナー出入口に向けて搬送されて、このトナーがトナー出入口を通して適切に補給されるようになる。
【００１８】
一方、本発明において、上記のトナー収容容器を画像形成装置に着脱可能に装着させて、トナー像を転写させた後の像保持部材に残留するトナーを回収し、この回収トナーを上記のトナー収容容器に収容させるにあたり、上記のように搬送部材を逆転させて、回収トナーをトナー出入口から離れる方向に搬送させるようにすると、このトナー収容容器に導かれた回収トナーが、トナー出入口の近傍におけるトナー収容容器の部分に蓄積されても、この回収トナーが搬送部材によってトナー出入口から離れる方向に搬送されて、回収トナーがトナー出入口から漏れ出すのが防止されるようになる。
【００１９】
また、回収トナーをトナー収容容器に収容させるにあたり、上記のように攪拌部材を逆転させて、撹拌羽根を揺動させるようにすると、トナー収容容器に収容された回収トナーが揺動する撹拌羽根により押さえ付けられて、トナー収容容器内に回収トナーが詰まった状態で収容され、トナー収容容器内に多くの量の回収トナーが収容されるようになり、回収トナーが収容されたトナー収容容器を頻繁に取り換えるという面倒もなくなる。
【図面の簡単な説明】
【００２０】
【図１】補給トナーを収容させた補給トナー用のトナー収容容器と、回収トナーを収容させる回収トナー用のトナー収容容器とが着脱自在に装着された本発明の一実施形態に係る画像形成装置の概略説明図である。
【図２】上記の画像形成装置において使用する本発明の一実施形態に係るトナー収容容器の概略縦断面図である。
【図３】上記の実施形態に係るトナー収容容器の概略横断面図である。
【図４】上記の実施形態に係るトナー収容容器において使用する攪拌部材の概略斜視図である。
【図５】上記の実施形態に係るトナー収容容器を補給トナー用のトナー収容容器として使用するにあたり、補給トナーの補給を開始する当初において、攪拌部材における回転部材を逆転させて、撹拌羽根を係合部材の外周に接触した状態で揺動させる工程を示した概略縦断面図である。
【図６】上記の実施形態に係るトナー収容容器を補給トナー用のトナー収容容器として使用するにあたり、攪拌部材の回転部材を正転させて、撹拌羽根により補給トナーを攪拌させると共に、搬送部材を正転させて、トナー搬送部内に導かれた補給トナーをトナー出入口に搬送させて、補給トナーを補給させる状態を示した概略縦断面図である。
【図７】上記の実施形態に係るトナー収容容器を回収トナー用のトナー収容容器として使用するにあたり、搬送部材を逆転させると共に、攪拌部材における回転部材を逆転させて、回収トナーをトナー収容容器内に詰め込む工程を示した概略縦断面図である。
【発明を実施するための最良の形態】
【００２１】
次に、この発明の実施形態に係る画像形成装置及びトナー収容容器を添付図面に基づいて具体的に説明する。なお、本発明に係る画像形成装置及びトナー収容容器は、下記の実施形態に示したものに限定されず、その要旨を変更しない範囲において適宜変更して実施できるものである。
【００２２】
この実施形態の画像形成装置においては、図１に示すように、その装置本体１内に４つのイメージングカートリッジ１０Ａ〜１０Ｄを装着させるようにしている。
【００２３】
ここで、上記の各イメージングカートリッジ１０Ａ〜１０Ｄには、像保持部材となる感光体１１と、この感光体１１の表面を帯電させる帯電装置１２と、帯電された感光体１１の表面に画像情報に応じた露光を行って感光体１１の表面に静電潜像を形成する露光装置１３と、感光体１１の表面に形成された静電潜像にトナーを供給してトナー像を形成する現像装置１４と、感光体１１の表面に形成されたトナー像を中間転写ベルト２に転写させた後に残留するトナーを感光体１１の表面から除去する第１クリーニング装置１５とが設けられている。
【００２４】
そして、この実施形態に係る画像形成装置において、フルカラーの画像形成を行うにあたっては、上記の各イメージングカートリッジ１０Ａ〜１０Ｄにおける各現像装置１４に、黒色，黄色，マゼンダ色，シアン色の異なった色彩のトナーを収容させ、各イメージングカートリッジ１０Ａ〜１０Ｄにおいて、各感光体１１の表面にそれぞれの色彩のトナー像を形成する。
【００２５】
次いで、このように各イメージングカートリッジ１０Ａ〜１０Ｄにおける各感光体１１の表面に形成された各色彩のトナー像を、像保持部材となる中間転写ベルト２に順々に転写させて、この中間転写ベルト２の上にフルカラーのトナー像を形成する。一方、中間転写ベルト２に転写されずに各感光体１１の表面に残留しているトナーを、上記の各第１クリーニング装置１５によって各感光体１１の表面から除去する。
【００２６】
そして、上記のように中間転写ベルト２上に形成されたフルカラーのトナー像を転写ローラ５の位置に導く一方、給紙ローラ３により記録媒体Ｓを給紙し、タイミングローラ４によってこの記録媒体Ｓを適当なタイミングで上記の中間転写ベルト２と転写ローラ５との間に導き、中間転写ベルト２上に形成されたフルカラーのトナー像をこの記録媒体Ｓに転写させる。
【００２７】
次いで、このようにフルカラーのトナー像が転写された記録媒体Ｓを定着装置６に導き、上記のフルカラーのトナー像を記録媒体Ｓに定着させた後、この記録媒体Ｓを排紙ローラ７により排紙させる。一方、この記録媒体Ｓに転写されずに中間転写ベルト２上に残ったトナーを、第２クリーニング装置８によって中間転写ベルト２の表面から除去させる。
【００２８】
ここで、この実施形態の画像形成装置においては、上記の各イメージングカートリッジ１０Ａ〜１０Ｄに設けられた各現像装置１４に対応させて、それぞれ黒色，黄色，マゼンダ色，シアン色の異なった色彩の補給トナーを収容させた４つの補給トナー用のトナー収容容器３０Ａを装着させ、各補給トナー用のトナー収容容器３０Ａからそれぞれ対応する現像装置１４に各色彩の補給トナーをそれぞれ対応する現像装置１４に補給させるようにしている。
【００２９】
また、この実施形態の画像形成装置においては、上記の各イメージングカートリッジ１０Ａ〜１０Ｄに設けられた４つの第１クリーニング装置１５によって各感光体１１の表面から除去された回収トナー及び上記の第２クリーニング装置８によって中間転写ベルト２の表面から除去された回収トナーを回収トナー搬送手段２０によって搬送して、この回収トナーを回収トナーホッパ２１に導くようにする。
【００３０】
そして、この回収トナーホッパ２１の下に回収トナー用のトナー収容容器３０Ｂを装着させ、回収トナーホッパ２１に導かれた回収トナーを上記の回収トナー用のトナー収容容器３０Ｂに収容させるようにしている。
【００３１】
そして、この実施形態においては、上記の補給トナー用のトナー収容容器３０Ａと回収トナー用のトナー収容容器３０Ｂとに同じトナー収容容器３０を用いるようにしている。
【００３２】
ここで、上記のトナー収容容器３０においては、図２及び図３に示すように、トナーを収容させるトナー収容部３１と、このトナー収容部３１内におけるトナーを搬送させるトナー搬送部３２とを設け、このトナー搬送部３２の長手方向一端部にトナーの出し入れを行うトナー出入口３３を設けている。
【００３３】
また、上記のトナー搬送部３２の内部に、回転軸３４１の外周に搬送羽根３４２が設けられた搬送部材３４をトナー搬送部３２に沿って正・逆回転可能に設けている。そして、この搬送部材３４を正転させた場合には、トナー搬送部３２内のトナーが、この搬送部材３４によりトナー出入口３３に向けて搬送される一方、この搬送部材３４を逆転させた場合には、トナー搬送部３２内のトナーが、この搬送部材３４によりトナー出入口３３から離れる方向に搬送されるようにしている。
【００３４】
また、上記のトナー収容部３１の内部に、回転部材３５１に撹拌羽根３５２が取り付けられた攪拌部材３５を正・逆回転可能に設け、上記の撹拌羽根３５２から外方に突出するようにして弾性シート部材３５２ａを設けると共に、この攪拌部材３５を逆回転させた場合に、弾性シート部材３５２ａが接触されて撹拌羽根３５２の回転が規制される規制部材３６を設けている。
【００３５】
ここで、上記の攪拌部材３５においては、回転部材３５１の両側部に設けられた支持アーム３５３に上記の撹拌羽根３５２を回動可能に取り付けると共に、この撹拌羽根３５２の両側における係止部３５２ｂを、回転部材３５１の両側部に設けられたカム部材からなる係合部材３５４に設けられた係合凹部３５４ａに係合させている。
【００３６】
そして、攪拌部材３５の正転時には、撹拌羽根３５２の係止部３５２ｂが係合部材３５３の係合凹部３５３ａに係止されて、撹拌羽根３５２が攪拌部材３５と一緒に回転される一方、攪拌部材３５の逆転時には、撹拌羽根３５２の係止部３５２ｂが係合部材３５３の係合凹部３５３ａから係脱されて、撹拌羽根３５２が回転する係合部材３５３の外周に接触した状態で揺動されるようにしている。
【００３７】
また、この実施形態においては、上記の攪拌部材３５における回転部材３５１において、その両側部に設けられた支持アーム３５３間の部分に十字状になった撹拌部３５１ａを設けている。
【００３８】
次に、上記のトナー収容容器３０を補給トナー用のトナー収容容器３０Ａとして用い、このトナー収容容器３０Ａ内に収容された補給トナーｔｏを、トナー出入口３３を通して補給させる場合について説明する。
【００３９】
このようにトナー収容容器３０を補給トナー用のトナー収容容器３０Ａとして使用するにあたっては、図１に示すように、このトナー収容容器３０Ａのトナー出入口３３を下にして、画像形成装置内にセットする。
【００４０】
ここで、この補給トナー用のトナー収容容器３０Ａにおいては、その内部に収容された補給トナーｔｏが詰まった状態で固まっていることがあるため、補給トナーｔｏの補給を開始する当初において、図５（Ａ），（Ｂ）に示すように、上記の攪拌部材３５における回転部材３５１を逆転させて、撹拌羽根３５２を係合部材３５３の外周に接触した状態で揺動させるようにする。このようにすると、撹拌羽根３５２の揺動及びこの攪拌部材３５の回転部材３５１に設けられた撹拌部３５１ａの回転により、詰まった状態で固まっている補給トナーｔｏがほぐされて攪拌されやすくなる。
【００４１】
その後、図６に示すように、この攪拌部材３５の回転部材３５１を正転させて、撹拌羽根３５２を回転部材３５１の回転に伴って回転させ、トナー収容部３１内に収容された補給トナーｔｏを攪拌させて、この補給トナーｔｏをトナー搬送部３２に導くと共に、このトナー搬送部３２内に設けられた搬送部材３４を正転させて、トナー搬送部３２内に導かれた補給トナーｔｏをこの搬送部材３４によりトナー出入口３３に向けて搬送し、トナー出入口３３を通して補給トナーｔｏを上記の現像装置１４に補給させるようにする。
【００４２】
このようにすると、補給トナー用のトナー収容容器３０Ａに収容された補給トナーｔｏが詰まって固まった状態であっても、この補給トナーｔｏが適切にほぐされてトナー出入口３３に搬送され、このトナー出入口３３を通して補給トナーｔｏが現像装置１４に適切に補給させるようにする。
【００４３】
次に、上記のトナー収容容器３０を回収トナー用のトナー収容容器３０Ｂとして用い、上記のように回収トナーホッパ２１に導かれた回収トナーｔａをこの回収トナー用のトナー収容容器３０Ｂに収容させる場合について説明する。
【００４４】
このようにトナー収容容器３０を回収トナー用のトナー収容容器３０Ｂとして使用するにあたっては、図１に示すように、このトナー収容容器３０Ｂのトナー出入口３３を上にして、画像形成装置内にセットする。
【００４５】
そして、上記のように回収トナーｔａをこのトナー収容容器３０Ｂに収容させるにあたっては、図７（Ａ）〜（Ｄ）に示すように、トナー搬送部３２内に設けられた搬送部材３４を逆転させると共に、上記の攪拌部材３５における回転部材３５１を逆転させるようにする。
【００４６】
ここで、上記のようにトナー搬送部３２内に設けられた搬送部材３４を逆転させると、トナー出入口３３からトナー収容容器３０Ｂ内に収容された回収トナーｔａが、トナー出入口３３の近傍におけるトナー収容容器３０Ｂの部分において蓄積されても、蓄積された回収トナーｔａが上記の搬送部材３４によりトナー出入口３３から離れる方向に搬送されるようになり、蓄積された回収トナーｔａがトナー出入口３３から漏れ出すということが防止される。
【００４７】
また、上記のように攪拌部材３５における回転部材３５１を逆転させると、係合部材３５３の係合凹部３５３ａに係止された撹拌羽根３５２の係止部３５２ｂが、この係合凹部３５３ａから係脱されて、撹拌羽根３５２が回転する係合部材３５３の外周に沿って揺動されるようになる。そして、撹拌羽根３５２における弾性シート部材３５２ａがトナー収容部３１の内部に設けられた規制部材３６に接触して保持されて下動位置が規制された状態で、撹拌羽根３５２が上下動するようになる。
【００４８】
このように撹拌羽根３５２が上下動すると、この撹拌羽根３５２によってトナー収容容器３０Ｂ内に収容された回収トナーｔａが押さえ付けられ、トナー収容容器３０Ｂ内に回収トナーｔａが詰まった状態で多く収容されるようになり、回収トナーｔａが収容されたトナー収容容器３０Ｂを頻繁に取り換えるという面倒もなくなる。
【符号の説明】
【００４９】
１  装置本体
２  中間転写ベルト（像保持部材）
３  給紙ローラ
４  タイミングローラ
５  転写ローラ
６  定着装置
７  排紙ローラ
８  第２クリーニング装置
１０Ａ〜１０Ｄ  イメージングカートリッジ
１１  感光体（像保持部材）
１２  帯電装置
１３  露光装置
１４  現像装置
１５  第１クリーニング装置
２０  トナー搬送手段
２１  回収トナーホッパ
３０  トナー収容容器
３０Ａ  補給トナー用のトナー収容容器
３０Ｂ  回収トナー用のトナー収容容器
３１  トナー収容部
３２  トナー搬送部
３３  トナー出入口
３４  搬送部材
３４１  回転軸
３４２  搬送羽根
３５  攪拌部材
３５１  回転部材
３５２  撹拌羽根
３５２ａ  弾性シート部材
３５２ｂ  係止部
３５３  支持アーム
３５４  係合部材
３５４ａ  係合凹部
３６  規制部材
Ｓ  記録媒体
ｔｏ  補給トナー
ｔａ  回収トナー
【図１】
2011232685.tif 000003
【図２】
2011232685.tif 000004
【図３】
2011232685.tif 000005
【図４】
2011232685.tif 000006
【図５】
2011232685.tif 000007
【図６】
2011232685.tif 000008
【図７】
2011232685.tif 000009